(57)【要約】【課題】巻き解き後のコードの絡みや断線を低減し、さらに、コードの巻き取り、巻き解き作業を簡略化したコード巻取り具を提供する。【解決手段】コード巻取り具２は、交差部と一方の周回部と他方の周回部とを有する８の字状に巻き取ったコードの、交差部近傍を下側から支持するベース部材６０と、ベース部材６０から一方の周回部の内側を通って延びる係止バンド７０と、ベース部材６０に設けられて他方の周回部の内側に位置する第１係合部材８０と、係止バンド７０の先端部７０ｂに設けられて第１係合部材８０に係合し又は係合解除する第２係合部材９０とを備え、係合により、交差部の４周を、交差部の下側、一方の周回部の内側、交差部の上側、及び他方の周回部の内側から囲繞するとともに、係合解除により、交差部の上側を開放することを特徴とする。【選択図】図４
2019127371.tif 000002
【特許請求の範囲】
【請求項１】
交差部と一方の周回部と他方の周回部とを有する８の字状に巻き取ったコードの、前記交差部近傍を下側から支持するベース部材と、
前記ベース部材から前記一方の周回部の内側を通って延びる係止バンドと、
前記ベース部材に設けられて前記他方の周回部の内側に位置する第１係合部材と、
前記係止バンドの先端部に設けられて前記第１係合部材に係合し又は係合解除する第２係合部材と、を備え、
前記係合により、前記交差部の４周を、前記交差部の下側、前記一方の周回部の内側、前記交差部の上側、及び前記他方の周回部の内側から囲繞するとともに、
前記係合解除により、前記交差部の上側を開放する、
ことを特徴とするコード巻取り具。
【請求項２】
前記係止バンドは、弾力性を有する部材によって形成されている、
ことを特徴とする請求項１に記載のコード巻取り具。
【請求項３】
前記ベース部材は、透孔を有し、
前記係止バンドは、前記先端部側が前記透孔に出入りするとともに、基端部に前記ベース部材の裏面側に当接するストッパを有する、
ことを特徴とする請求項１又は２に記載のコード巻取り具。
【請求項４】
前記第１係合部材及び前記第２係合部材がマグネットである、
ことを特徴とする請求項１ないし３のいずれか１項に記載のコード巻取り具。
【請求項５】
前記ベース部材は、前記交差部の位置を、前記一方の周回部及び前記他方の周回部の外側から規制する１対の凸部を有する、
ことを特徴とする請求項１ないし４のいずれか１項に記載のコード巻取り具。
【発明の詳細な説明】
【技術分野】
【０００１】
本発明は、８の字状に巻き取ったコードを束ねるコード巻取り具に関する。
【背景技術】
【０００２】
従来、コード巻取り具１が特許文献１に提案されている。
この要約の解決手段には、
【０００３】
「このコード巻取り具１においては、平板状の本体部２によって全体が形どられており、これによって、小型化や薄型化を可能して、その取り扱い性をも向上させる。そして、コードＡの余長部分を収容するにあたっては、コードＡを複数回巻き付ける必要があり、この巻き付けを達成させるために、本体部２の長手方向における両端に対向状態で一対に開口部３，４を形成させ、更には、各開口部３，４と外部とを連通させるための切込み部５，６を形成させている。」
と記載されている。
【先行技術文献】
【特許文献】
【０００４】
【特許文献１】特開２００２−２３８１２０号公報（特許第４４６１３１２号）
【発明の概要】
【発明が解決しようとする課題】
【０００５】
しかしながら、上述の特許文献１の発明によると、コードの巻き取り方向が同じ（例えば、右巻き）であるため、コードに捩じれが生じて癖が付き、巻き解き後に絡みやすくなったり、また、断線の原因になったりするという問題があった。
【０００６】
さらに、コードの巻き取り作業、及び巻き解き作業において、コードを１巻きごとに、切込み部に通す必要があるため、作業自体が煩雑になるという問題があった。
【０００７】
本発明は、上述した事情に鑑みてなされたものであり、巻き解き後のコードの絡みや断線を低減し、さらに、コードの巻き取り作業、及び巻き解き作業を簡略化することができるコード巻取り具を提供することを目的とする。
【課題を解決するための手段】
【０００８】
上述の目的を達成するため、本発明に係るコード巻取り具は、交差部と一方の周回部と他方の周回部とを有する８の字状に巻き取ったコードの、交差部近傍を下側から支持するベース部材と、ベース部材から一方の周回部の内側を通って延びる係止バンドと、ベース部材に設けられて他方の周回部の内側に位置する第１係合部材と、係止バンドの先端部に設けられて第１係合部材に係合し又は係合解除する第２係合部材と、を備え、係合により、交差部の４周を、交差部の下側、一方の周回部の内側、交差部の上側、及び他方の周回部の内側から囲繞するとともに、係合解除により、交差部の上側を開放する、ことを特徴とする。
【発明の効果】
【０００９】
本発明によれば、コード巻取り具は、第１係合部材に第２係合部材を係合することにより、交差部の４周（交差部の下側、一方の周回部の内側、交差部の上側、及び他方の周回部の内側）を、ベース部材、係止バンド、第１係合部材、及び第２係合部材によって囲繞することができる。すなわち、８の字状のコードの交差部の４周を、コード巻取り具の各構成要素によって囲繞することができるので、８の字状のコードの交差部、ひいてはコード全体をしっかりと保持することができる。
【００１０】
一方、コード巻取り具は、第１係合部材に対する第２係合部材の係合を解除することにより、それまで交差部の４周を囲繞していた少なくとも交差部の上側を開放することができるので、その開放された箇所を介して、コードを８の字状に巻き取ることができ、また、逆に巻き解くことができる。
【００１１】
以上のように、コード巻取り具は、コードを８の字状に巻き取ることができるので、特許文献１の発明とは異なり、コードに捩じれが生じないで癖が付きにくく、巻き解き後に絡みやすくなったり、また、断線の原因になったりするおそれはない。
【００１２】
また、係合解除により、それまでコードの交差部を囲繞していた一部を大きく開放できるので、特許文献１の発明とは異なり、コードを１巻きするごとに、切込み部に通すといった煩雑な作業がなくなるので、コードの巻き取り、巻き解き作業を簡略化することができる。
【図面の簡単な説明】
【００１３】
【図１】図１〜図３は実施形態１のコード巻取り具１を説明する図であり、図１はコード巻取り具１を表面側（正面側）から見た斜視図である。
【図２】コード巻取り具１の係合解除状態を示す斜視図である。
【図３】コード巻取り具１の係合状態を示す斜視図である。
【図４】図４〜図９は実施形態２のコード巻取り具２を説明する図であり、図４はコード巻取り具２を表面６１Ａ側（正面側）から見た斜視図である。
【図５】（Ａ）はコード巻取り具２の正面図、（Ｂ）は同じく右側面図、（Ｃ）は同じく背面図である。
【図６】ベース部材６０及び第１係合部材８０を表面６１Ａ側（正面側）から見た斜視図である。
【図７】（Ａ）はベース部材６０及び第１係合部材８０の正面図、（Ｂ）は同じく右側面図、（Ｃ）は同じく背面図である。
【図８】コード巻取り具２の係合解除状態を示す右側面図である。
【図９】コード巻取り具２の係合状態を示す正面図である。
【発明を実施するための形態】
【００１４】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
図１〜図３を参照して、本発明を適用した実施形態１に係るコード巻取り具１について説明する。
【００１５】
ここで、図１は、コード巻取り具１を表面側（正面側）から見た斜視図である。また、図２は、コード巻取り具１の係合解除状態を示す斜視図である。また、図３は、コード巻取り具１の係合状態を示す斜視図である。
【００１６】
なお、以下の説明では、コードＣとして、一端部にプラグ（不図示）、他端部にイヤホン（不図示）を有するイヤホンコードの中間部を、交差部Ｔ１と一方の周回部Ｔ２と他方の周回部Ｔ３とを有する８の字状に巻き取る場合を例に説明する。コードＣとしては、これに限定されず、例えば、コンセントに差し込むプラグを一端部に有する一般的なコードや、ケーブル等であってもよい。
コード巻取り具１は、図１〜図３に示すように、ベース部材１０、係止バンド２０、第１係合部材３０、及び第２係合部材４０を備えて構成されている。
【００１７】
ベース部材１０は、コードＣの交差部Ｔ１近傍を下側から支持する部材である。ベース部材１０は、例えば、プラスチックや金属等の硬い素材でできていため、交差部Ｔ１近傍を安定して保持することができる。
【００１８】
係止バンド２０は、図１、図２に示すように、ベース部材１０から一方の周回部Ｔ２の内側を通って延びている。係止バンド２０は、その基端部２０ａが、ベース部材１０の一方の端部１０ａから延びるベルト状の部材であり、一方の周回部Ｔ２の内側を通って、先端側を上方に延ばしている。係止バンド２０は、弾力性を有する部材、例えば、ゴム等のフレキシブルな素材でできている。
【００１９】
第１係合部材３０は、上述のベース部材１０に設けられている。本実施形態では、第１係合部材３０は、ベース部材１０の他方の端部１０ｂに設けられた突起状の係合凸部３１によって構成されている。この係合凸部３１は、ベース部材１０と同じように、硬い素材でできていて、他方の周回部Ｔ３の内側に位置している。
【００２０】
第２係合部材４０は、上述の係止バンド２０の先端部２０ｂに設けられている。本実施形態では、第２係合部材４０は、係止バンド２０の先端部２０ｂに、その長手方向に沿って３箇所に形成された係合凹部４１によって形成されている。これら３個の係合凹部４１のうちの１個を、係合凸部３１に嵌めることにより両者を係合し、また、外すことにより、係合解除している。係合時には、図３に示すように、交差部Ｔ１の４周を、交差部Ｔ１の下側、一方の周回部Ｔ２の内側、交差部Ｔ１の上側、及び他方の周回部Ｔ３の内側から囲繞している。また、係合解除時には、図２に示すように、交差部Ｔ１の上側を開放して、コードＣを８の字状に巻き取ること、及び８の字状の巻いたコードＣを巻き解くことを可能にしている。
以下、本実施形態のコード巻取り具１の作用、効果をまとめる。
【００２１】
・コード巻取り具１は、第１係合部材３０に第２係合部材４０を係合することにより、交差部Ｔ１の４周を交差部Ｔ１の下側、一方の周回部Ｔ２の内側、交差部Ｔ１の上側、及び他方の周回部Ｔ３の内側から、ベース部材１０、係止バンド２０、第１係合部材３０、及び第２係合部材４０によって囲繞することができる。すなわち、８の字状のコードＣの交差部Ｔ１の４周を、コード巻取り具１の各構成要素によって囲繞することができるので、８の字状のコードＣの交差部Ｔ１、ひいてはコードＣ全体をしっかりと保持することができる。
【００２２】
一方、コード巻取り具１は、第１係合部材３０に対する第２係合部材４０の係合解除することにより、それまで交差部Ｔ１の４周を囲繞していた少なくとも交差部Ｔ１の上側を開放することができるので、その開放された箇所を介して、コードを８の字状に巻き取ることができ、また、逆に巻き解くことができる。
【００２３】
以上のように、コード巻取り具１は、コードＣを８の字状に巻き取ることができるので、特許文献１の発明とは異なり、コードＣに捩じれが生じないで癖が付きにくく、巻き解き後に絡みやすくなったり、また、断線の原因になったりするおそれはない。
【００２４】
また、係合解除により、それまでコードＣの交差部Ｔ１を囲繞していた一部を大きく開放できるので、特許文献１の発明とは異なり、コードＣを１巻きするごとに、切込み部に通すといった煩雑な作業がなくなるので、コードＣの巻き取り、巻き解き作業を簡略化することができる。
【００２５】
・コート巻取り具１は、ベース部材１０が硬い素材でできているため、コードＣの巻き取り、巻き解き作業時に、ベース部材１０を例えば、親指と人差し指で摘まんだときに、両指の距離を一定に保つことができる。したがって、安定的にコードＣの巻き取り、巻き解き作業を行うことができる。
【００２６】
・コード巻取り具１は、ベース部材１０が硬い素材でできているため、係合凸部３１に係合凹部４１を通して全体をループ状にした際に、そのループ状の形状を維持して、コードＣの交差部Ｔ１をしっかりと保持することができる。
【００２７】
・コート巻取り具１は、第１係合部材３０の係合凸部３１が硬い素材で構成され、第２係合部材４０の係合凹部４１が弾力性を有する部材によって構成されているので、係合凸部３１を係合凹部４１に容易に係脱することができる。
【００２８】
・コード巻取り具１は、係止バンド２０が、弾力性を有する部材によって構成されているので、係合時に交差部Ｔ１を囲繞する空間を「囲繞空間」とすると、コードＣの太さや巻き数によって変化する囲繞空間に、弾力性により対応して、交差部Ｔ１をしっかりと押さえつけることができる。なお、本実施形態では、第２係合部材４０として３つの係合凹部４１を有するので、係合凸部３１に係合する係合凹部４１を選択することによって、囲繞空間の大きさの変化に好適に対応することができる。
＜実施形態２＞
図４〜図９を参照して本発明を適用した実施形態２に係るコード巻取り具２について説明する。
【００２９】
ここで、図４は、コード巻取り具２を表面６１Ａ側（正面側）から見た斜視図である。また、図５（Ａ）はコード巻取り具２の正面図、（Ｂ）は同じく右側面図、（Ｃ）は同じく背面図である。また、図６は、ベース部材６０及び第１係合部材８０を表面６１Ａ側（正面側）から見た斜視図である。すなわち、コード巻取り具２から、係止バンド７０及び第２係合部材９０を取り除いた斜視図である。また、図７（Ａ）はベース部材６０及び第１係合部材８０の正面図、（Ｂ）は同じく右側面図、（Ｃ）は同じく背面図である。また、図８は、コード巻取り具２の係合解除状態を示す右側面図である。また、図９は、コード巻取り具２の係合状態を示す正面図である。
【００３０】
なお、以下の説明では、コードＣとして、一端部にプラグ（不図示）、他端部にイヤホン（不図示）を有するイヤホンコードの中間部を、交差部Ｔ１と一方の周回部Ｔ２と他方の周回部Ｔ３とを有する８の字状に巻き取る場合を例に説明する。コードＣとしては、これに限定されず、例えば、コンセントに差し込むプラグを一端部に有する一般的なコードや、ケーブル等であってもよい。
コード巻取り具２は、図４、図５に示すように、ベース部材６０、係止バンド７０、第１係合部材８０、及び第２係合部材９０を備えて構成されている。
【００３１】
ベース部材６０は、図９に示すように、コードＣの交差部Ｔ１近傍を下側から支持する部材である。ベース部材６０は、長手方向（図５の上下方向）に長いベース板６１、及びベース板６１の長手方向の一方の端部６１ａ及び他方の端部６１ｂに設けた円筒部６２，６２を有している。
【００３２】
ベース板６１は、円筒部６２，６２に対応する部分に円形の刳り抜き孔６１ｃ，６１ｃを有している。また、各刳り抜き孔６１ｃの外側には、それぞれ２個の滑り止め６１ｄ，６１ｄが形成されている。これら滑り止め６１ｄ，６１ｄ…は、例えば、コード巻取り具２を人差し指と親指（いずれも不図示）とによって摘まんでコードＣを巻き取る際に、その人差し指及び親指が滑ることを防止するものである。ベース板６１の長手方法の中央には、左右に対向するように、２個の凸部６１ｅ，６１ｅが表面６０Ａ側に向けて突設されている。この凸部６１ｅ，６１ｅは、交差部Ｔ１の位置を、一方の周回部Ｔ２（図９参照）及び他方の周回部Ｔ３の外側から規制するものである。
【００３３】
ベース板６１は、一方の端部６１ａ側の刳り抜き孔６１ｃの少し内側に、透孔６１ｆを有している。この透孔６１ｆは、後述する係止バンド７０の基端部７０ａ側及び先端部７０ｂ側が出入りする。
【００３４】
円筒部６２，６２は、ベース板６１に形成された刳り抜き孔６１ｃ，６１ｃを覆うように配設されている。円筒部６２，６２は、ベース板６１の表面６１Ａ側に出っ張るように配設されていて、天面を有している。他方の端部６１ｂ側に位置する円筒部６２の内側には、後述する第１係合部材８０としてのマグネット８１が埋め込まれている。
【００３５】
上述のベース部材６０全体は、例えば、プラスチックや金属等の硬い素材でできているため、交差部Ｔ１近傍の下側を安定して保持することができる。また、ベース部材６０は、硬い素材で形成されているので、滑り止め６１ｄ，６１ｄ…を例えば、人差し指と親指とで摘まんだときに、両指間の距離を一定に保つことができる。
【００３６】
係止バンド７０は、図９に示すように、一方の周回部Ｔ２の内側を通って延びるベルト状の部材である。係止バンド７０は、弾力性を有する部材、例えば、ゴム等のフレキシブルな素材でできている。係止バンド７０は、ベース板６１に形成した透孔６１ｆに対して出入り自在である。係止バンド７０は、基端部７０ａに、ベース板６１の裏面６１Ｂ側に当接するストッパ７１を有し、基端部７０ａ及び先端部７０ｂ側が透孔６１ｆに対して出入り自在である。
なお、係止バンド７０の先端部７０ｂには、後述する第２係合部材９０としてのマグネット９１が配設されている。
【００３７】
第１係合部材８０としてのマグネット８１は、上述のベース板６１の他方の端部６１ｂ側の円筒部６２に埋め込まれたマグネット８１によって形成されている。このマグネット８１は、図９に示すように、他方の周回部Ｔ３の内側において、マグネット９１の下側に配置されている（図９では、マグネット９１は不図示）。
【００３８】
第２係合部材９０としてのマグネット９１は、上述の係止バンド７０の先端部７０ｂに設けられている。マグネット９１は、円筒状に形成されていて、表面が係止バンド７０と同じ素材のもので覆われている。
【００３９】
本実施形態では、マグネット８１にマグネット９１をくっ付ける（係合させる）ことにより、図９に示すように、交差部Ｔ１の４周を、交差部Ｔ１の下側、一方の周回部Ｔ２の内側、交差部Ｔ１の上側、及び他方の周回部Ｔ３の内側から囲繞している。また、係合解除時には、図８に示すように、係止バンド７０の先端部７０ｂ側を透孔６１ｆに引っ込めて交差部Ｔ１の上側を大きく開放し、コードＣを８の字状に巻き取ること、及び８の字状の巻いたコードＣを巻き解くことを容易にしている。
以下、本実施形態のコード巻取り具２の作用、効果をまとめる。
【００４０】
・コード巻取り具２は、第１係合部材８０に第２係合部材９０を係合することにより、交差部Ｔ１の４周を交差部Ｔ１の下側、一方の周回部Ｔ２の内側、交差部Ｔ１の上側、及び他方の周回部Ｔ３の内側から、ベース部材６０、係止バンド７０、第１係合部材８０、及び第２係合部材９０によって囲繞することができる。すなわち、８の字状のコードＣの交差部Ｔ１の４周を、コード巻取り具２の各構成要素によって囲繞することができるので、８の字状のコードＣをしっかりと保持することができる。
【００４１】
一方、コード巻取り具２は、第１係合部材８０に対する第２係合部材９０を係合解除することにより、それまで交差部Ｔ１の４周を囲繞していた少なくとも交差部Ｔ１の上側を開放することができるので、その開放された箇所を介して、コードを８の字状に巻き取ることができ、また、逆に巻き解くことができる。
【００４２】
以上のように、コード巻取り具２は、コードＣを８の字状に巻き取ることができるので、特許文献１の発明とは異なり、コードＣに捩じれが生じないで癖が付きにくく、巻き解き後に絡みやすくなったり、また、断線の原因になったりするおそれはない。
【００４３】
また、係合解除により、それまでコードＣの交差部Ｔ１を囲繞していた一部（交差部Ｔ１の上側）を大きく開放できるので、特許文献１の発明とは異なり、コードＣを１巻きするごとに、切込み部に通すといった煩雑な作業がなくなって、コードＣの巻き取り、巻き解き作業を簡略化することができる。
【００４４】
・コード巻取り具２は、係止バンド７０が、弾力性を有する部材によって構成されているので、第１係合部材８０に対する第２係合部材９０の係合時に、交差部Ｔ１を囲繞する空間を「囲繞空間」とすると、コードＣの太さや巻き数によって変化する囲繞空間に、弾力性により対応して、交差部Ｔ１をしっかりと押さえつけることができる。
【００４５】
・コード巻取り具２は、ベース部材６０（ベース板６１）が透孔６１ｆを有し、係止バンド７０の基端部７０ａ側及び先端部７０ｂ側が透孔６１ｆに出入りするとともに基端部７０ａにベース部材６０（ベース板６１）の裏面６１Ｂ側に当接するストッパ７１を有する。このため、コードＣを８の字状に巻き取ったり、逆に巻き解いたりする際には、図８に示すように、第１係合部材８０（マグネット８１）に対する第２係合部材９０（マグネット９１）を係合解除し、さらに、係止バンド７０の先端部７０ｂ側を透孔６１ｄに入れて引っ込めることにより、交差部Ｔ１の上側を大きく開放することができるので、８の字状の巻き取り又は巻き解きを円滑に行うことができる。
【００４６】
・コード巻取り具２は、第１係合部材８０及び第２係合部材９０としてマグネット８１，９１を備えているため、その係合及び係合解除が容易である。なお、マグネット８１，９１は、一方がマグネットで、他方が磁性体であってもよい。
【００４７】
・コード巻取り具２は、ベース部材６０（ベース板６１）が、交差部Ｔ１の位置を、一方の周回部Ｔ２の外側及び他方の周回部Ｔ３の外側から規制する１対の凸部６１ｅ，６１ｅを有しているので、巻き取り中のコードＣの交差部Ｔ１を確実に位置決めすることができる。
【符号の説明】
【００４８】
１            コード巻取り具（実施形態１）
２            コード巻取り具（実施形態２）
１０，６０    ベース部材
２０，７０    係止バンド
３０，８０    第１係合部材
４０，９０    第２係合部材
６１Ａ        ベース板（ベース部材）の表面
６１Ｂ        ベース板（ベース部材）の裏面
６１ｅ，６１ｅ    凸部
６１ｆ        透孔
７０ａ        係止バンドの基端部
７０ｂ        係止バンドの先端部
７１          ストッパ
８１，９１    マグネット
Ｃ            コード
Ｔ１          交差部
Ｔ２          一方の周回部
Ｔ３          他方の周回部
【図１】
2019127371.tif 000003
【図２】
2019127371.tif 000004
【図３】
2019127371.tif 000005
【図４】
2019127371.tif 000006
【図５】
2019127371.tif 000007
【図６】
2019127371.tif 000008
【図７】
2019127371.tif 000009
【図８】
2019127371.tif 000010
【図９】
2019127371.tif 000011